(57)【要約】      （修正有）【課題】幅を広げられる構造とし、中央部の三枚重ねの部分をトイレットペーパーの幅より若干狭くすることにより両端部が一重となり、左右の両端部を左右に引っ張ることにより簡単に幅を広げられる構造を有するトイレットペーパーの提供。【解決手段】三つ折りロール状トイレットペーパー３は、上部ペーパー１０１と中央部ペーパー１０２と下部ペーパー１０３とで構成され、上部ペーパー１０１と下部ペーパー１０３の幅は同一であり、中央部ペーパー１０２の幅は上部ペーパー１０１及び下部ペーパー１０３よりも小さい。【選択図】図１
2020018682.tif 000002
【特許請求の範囲】
【請求項１】
三つ折りロール状トイレットペーパー（３）であって、前記三つ折りロール状トイレットペーパー（３）は、上部ペーパー（１０１）と中央部ペーパー（１０２）と下部ペーパー（１０３）とで構成され、前記上部ペーパー（１０１）と前記下部ペーパー（１０３）の幅は同一であり、前記中央部ペーパー（１０２）の幅は前記上部ペーパー（１０１）及び前記下部ペーパー（１０３）よりも小さいことを特徴とする三つ折りロール状トイレットペーパー。
【発明の詳細な説明】
【技術分野】
【０００１】
本発明はロール状トイレットペーパーにおける重ね折りの形状に関する。
【背景技術】
【０００２】
ロール状トイレットペーパーは排泄時の処理、キャンプ等における食器の汚れの拭き取り、鼻かみ等、様々な用途に利用される。しかしながら、シングル、二枚重ねのダブルのロール状トイレットペーパーが主流であるが、幅、厚み等がないため、利用時には数枚重ねたり、V字折にしたりと手間がかかっているのが現状である。こうした中、水撥ね防止、便器汚れ防止などに便利なトイレットペーパーが開示されている（特許文献1参照）。これは、トイレットペーパーを2つ折りにしたもので開きやすくするため上下の重ね幅をずらしたものとなっている。しかしながら、広げたときの幅が狭いこと、また、トイレットペーパー製造過程における裁断折り曲げ等、工程が複雑なこと等、汎用には至っていない。
【先行技術文献】
【特許文献】
【０００３】
【特許文献１】実用新案登録第３２１５３４２号
【発明の概要】
【発明が解決しようとする課題】
【０００４】
特許文献１記載の水撥ね防止、便器汚れ防止などに便利なロール状トイレットペーパーは、広げたときの幅も２０ｃｍと幅も狭く厚みも従来のロール状トイレットペーパーと同じであることから汎用性が充分とは言えない。また、ロールごとに２つ折りに折り重ねた状態のため、現在の製造過程において、課題を有する。
【課題を解決するための手段】
【０００５】
上記従来の課題を解決するため本発明に係るロール状トイレットペーパーは左右の端を引っ張ることにより、簡単に広げられ、厚みもあることから排泄処理等、従来の使用においても、必要厚さに重ねる手間が少なくて済む。また、製造過程においてもロール加工時にぺーパーを折り重ね、芯に巻き付けた後、裁断する等、従来工程の裁断前に折り重ねが工程を加えることを特徴とする。
【発明の効果】
【０００６】
本発明の三つ折りロール状トイレットペーパーは、トイレットペーパーの断面をＺ状に折ることにより、通常の使用時には3枚重ねとなり、必要厚さにするための折り重ね回数を少なくできるほか、３枚重ねの部分をロールの幅より小さくすることによって、両端部は一重となるため、両端部の一重部分を左右に引っ張ることによって、簡単にトイレットペーパーを広げることができ、便器の汚れ防止など多方面に活用が図られる。
【図面の簡単な説明】
【０００７】
【図１】本考案の実施例１に基づく三つ折りロール状トイレットペーパーを説明するための図で、トイレットペーパーの三つ折りの状況を示す一例としての斜視図である。
【図２】同実施例の三つ折りロール状トイレットペーパー広げたときの平面図である。
【発明を実施するための形態】
【０００８】
本発明の同実施例の三つ折りロール状トイレットペーパーは、トイレットペーパー断面をZ状に三つ折りしたもので、両端部が重ならないよう三重部分を若干小さめに折ることにより、両端部は一重の紙となり、この両端部の一重の紙を引っ張ることで簡単に広げられる構造とする。
【実施例１】
【０００９】
以下、本発明の実施例１にかかる三つ折りロール状トイレットペーパーついて図面を参照しながら詳細に説明する。図１は、三つ折りロール状トイレットペーパーの斜視図である。三つ折りロール状トイレットペーパーは、トイレットペーパーの断面をＺ状に折ることにより、通常の使用時には3枚重ねとなり、必要厚さにするための折り重ね回数を少なくできるほか、ペーパーを広げることにより、汚れの防止のための敷物として、汎用性も多岐にわたる。図２は図１の三つ折りロール状トイレットペーパーの三つ折り部分を広げた平面図である。図中のトイレットペーパーの幅のＡ,Ｂ,Ｃの関係は、ＡはＣと等しく、ＢはＡおよびＣより小さくなっている。これにより、三つ折りロール状トイレットペーパーに端部は一重となりこの部分を摘まむことにより三つ折りロール状トイレットペーパーを容易に広げることができる。
【００１０】
実施例においてはＡおよびＣとＢとの幅の差は5ｍｍで行ったが、5ｍｍに限定されるものではなく、指が引っかかる程度の幅の差であればよい。
【産業上の利用可能性】
【００１１】
本発明は、排泄時の処理をはじめ、食器等の汚れの拭き取り、汚れ防止のための敷物等の様々な用途に利用でき、有用である。
【符号の説明】
【００１２】
１  トイレットペーパー端部
２  トイレットペーパー中央部
３  三つ折りロール状トイレットペーパー本体
１０１  上部ペーパー
１０２  中央部ペーパー
１０３  下部ペーパー
【図１】
2020018682.tif 000003
【図２】
2020018682.tif 000004
【手続補正書】
【提出日】平成30年11月7日(2018.11.7)
【手続補正１】
【補正対象書類名】特許請求の範囲
【補正対象項目名】全文
【補正方法】変更
【補正の内容】
【特許請求の範囲】
【請求項１】
三つ折りロール状トイレットペーパー（３）であって、前記三つ折りロール状トイレットペーパー（３）は、上部ペーパー（１０１）と中央部ペーパー（１０２）と下部ペーパー（１０３）とで構成され、前記三つ折りロール状トイレットペーパー（３）の断面が略Z状であり、前記上部ペーパー（１０１）と前記下部ペーパー（１０３）の幅は同一であり、前記中央部ペーパー（１０２）の幅は前記上部ペーパー（１０１）及び前記下部ペーパー（１０３）よりも小さく、前記上部ペーパー（１０１）の外側端部と前記下部ペーパー（１０３）の外側端部とを持ち、左右に伸展可能であることを特徴とする三つ折りロール状トイレットペーパー。
【手続補正書】
【提出日】令和1年6月6日(2019.6.6)
【手続補正１】
【補正対象書類名】特許請求の範囲
【補正対象項目名】全文
【補正方法】変更
【補正の内容】
【特許請求の範囲】
【請求項１】
三つ折りロール状トイレットペーパー（３）であって、前記三つ折りロール状トイレットペーパー（３）は、上部ペーパー（１０１）と中央部ペーパー（１０２）と下部ペーパー（１０３）とで構成され、前記三つ折りロール状トイレットペーパー（３）の断面が1つの略Z状であり、前記上部ペーパー（１０１）と前記下部ペーパー（１０３）の幅は同一であり、前記中央部ペーパー（１０２）の幅は前記上部ペーパー（１０１）及び前記下部ペーパー（１０３）よりも略５ｍｍ小さく、前記上部ペーパー（１０１）の外側端部（１）と前記下部ペーパー（１０３）の外側端部（１）とを持ち、左右に伸展可能であることを特徴とする三つ折りロール状トイレットペーパー。
【手続補正書】
【提出日】令和1年9月26日(2019.9.26)
【手続補正１】
【補正対象書類名】特許請求の範囲
【補正対象項目名】全文
【補正方法】変更
【補正の内容】
【特許請求の範囲】
【請求項１】
三つ折りロール状トイレットペーパー（３）であって、前記三つ折りロール状トイレットペーパー（３）は、上部ペーパー（１０１）と中央部ペーパー（１０２）と下部ペーパー（１０３）とで構成され、前記三つ折りロール状トイレットペーパー（３）の断面が1つの略Z状であり、前記上部ペーパー（１０１）と前記下部ペーパー（１０３）の幅は同一であり、前記中央部ペーパー（１０２）の幅は前記上部ペーパー（１０１）及び前記下部ペーパー（１０３）よりも５ｍｍ小さく、前記上部ペーパー（１０１）の外側端部（１）と前記下部ペーパー（１０３）の外側端部（１）とを持ち、左右に伸展可能であることを特徴とする三つ折りロール状トイレットペーパー。